(57)【特許請求の範囲】
【請求項１】
容器に対して段階的に移動するピストンを有する吐出容器であって、前記ピストンを複数のピストンから構成すると共に、それら各ピストン間に、各ピストンの移動に伴って係合する係合部を設け、その係合部を前記各ピストンに形成したクサビと縮径部とから構成した吐出容器。
【請求項２】
容器に対して段階的に移動するピストンを有する吐出容器であって、前記ピストンを複数のピストンから構成すると共に、それら各ピストン間に、各ピストンの移動に伴って係合する係合部を設け、その係合部を前記各ピストンに設けた球体と縮径部とから構成した吐出容器。
【請求項３】
前記容器の内部に隔壁を移動可能に設けると共に、その移動隔壁の前後に異なる液体および／または粉体を収容した請求項１、或いは、請求項２に記載の吐出容器。
【発明の詳細な説明】
【技術分野】
【０００１】
本発明は、容器に対して段階的に移動するピストンを有する吐出容器に関するものである。
【背景技術】
【０００２】
一例として、所定の液体が充填されるシリンダと、先端にガスケット部を有し、前記シリンダ内を該シリンダの長手方向に沿ってスライドするプランジャとを備える注射器であって、前記シリンダは、前記プランジャを挿入する開口部と、該開口部の内側面に設けられ、該シリンダの径方向内向きに突出するシリンダ凸部であって、前記シリンダ内に挿入された前記ガスケット部が該シリンダ内から脱落するのを抑制するシリンダ凸部とを有し、前記プランジャは、該プランジャの長手方向に所定の間隔で形成され、該プランジャのスライドに応じて、前記シリンダ凸部と順次接触する複数の接触部を該プランジャの外側面に有する注射器が知られている。
そして、前記シリンダの外側の表面には、プランジャの移動量、即ち、液体の吐出量が判るように目盛りが付されている。
【０００３】
ここで、前記の注射器による薬液の投与においては、注射を受ける患者が大人か又は子供かにより、又、体格や体重および病状の重症度などにより、種々異なる量を注射している。その具体的な投与方法は、シリンダの外側の表面に印刷された目盛を見ながらプランジャを移動させ、投薬する薬液の量を調整していた。
【先行技術文献】
【特許文献】
【０００４】
【特許文献１】特開２００９−２８５２７号公報。
【発明の概要】
【発明が解決しようとする課題】
【０００５】
しかし、シリンダに形成された凸部とプランジャに形成された凸部との係脱作用によって、前記プランジャをシリンダに対して段階的に移動させることはできるものの、目盛りを見ながらの薬液の所定量の投与は困難であり、注射する者の技能による個人差が出易いと共に、その操作に慎重を期さなければならず、簡単で正確な注射が行えないと言った課題がある。
本発明は、このような課題に基づいてなされたものであり、その目的とするところは、簡単、且つ、容易に所定量の薬液や接着液などを計量・吐出させることができる吐出容器を提供することにある。
【課題を解決するための手段】
【０００６】
本発明は、上記の課題に鑑みてなされたものであって、容器に対して段階的に移動するピストンを有する吐出容器であって、前記ピストンを複数のピストンから構成すると共に、それら各ピストン間に、各ピストンの移動に伴って係合する係合部を設け、その係合部を前記各ピストンに形成したクサビと縮径部とから構成したことを第１の要旨とし、容器に対して段階的に移動するピストンを有する吐出容器であって、前記ピストンを複数のピストンから構成すると共に、それら各ピストン間に、各ピストンの移動に伴って係合する係合部を設け、その係合部を前記各ピストンに設けた球体と縮径部とから構成したことを第２の要旨とする。
【発明の効果】
【０００７】
本発明は、容器に対して段階的に移動するピストンを有する吐出容器であって、前記ピストンを複数のピストンから構成すると共に、それら各ピストン間に、各ピストンの移動に伴って係合する係合部を設け、その係合部を前記各ピストンに形成したクサビと縮径部とから構成したことを第１の要旨とし、容器に対して段階的に移動するピストンを有する吐出容器であって、前記ピストンを複数のピストンから構成すると共に、それら各ピストン間に、各ピストンの移動に伴って係合する係合部を設け、その係合部を前記各ピストンに設けた球体と縮径部とから構成したことを第２の要旨としたので、容易に所定量の液体を吐出させることができる。
【図面の簡単な説明】
【０００８】
【図１】第１実施例を示す縦断面図。
【図２】動作を示す縦断面図。
【図３】動作を示す縦断面図。
【図４】動作を示す縦断面図。
【図５】動作を示す縦断面図。
【図６】動作を示す縦断面図。
【図７】第２実施例を示す縦断面図。
【図８】動作を示す縦断面図。
【図９】動作を示す縦断面図。
【図１０】動作を示す縦断面図。
【図１１】動作を示す縦断面図。
【図１２】第３実施例を示す腰部拡大縦断面図。
【図１３】動作を示す縦断面図。
【図１４】動作を示す縦断面図。
【図１５】第４実施例を示す縦断面図。
【図１６】第５実施例を示す縦断面図。
【図１７】動作を示す縦断面図。
【図１８】動作を示す縦断面図。
【図１９】動作を示す縦断面図。
【発明を実施するための形態】
【０００９】
第１実施例を図１〜図６に示し説明する。後方に開口部が設けられた外筒１の先端部には、筒先部１ｅが設けられており、その筒先部１ｅには針１５が接合されている。
前記外筒１の開口部側には、フランジ部１ｍが設けられており、そのフランジ部１ｍには、固定リング３が着脱自在に装着している。また、前記外筒１の内部には、その外筒１内に内容物を封入するガスケット２が摺動可能に挿着されている。
そのガスケット２には、内ピストン６の先端部が当接しており、前記ガスケット２を押圧すると共に、摺動させる。また、そのガスケット２の摺動距離を段階的に調節するために、３つのピストンが段階的に作動し得るようになっている。具体的に説明すると、前記内ピストン６と外筒１の間には、中ピストン５が装着されており、その中ピストン５の外周には、外ピストン４が装着されている。
前記固定リング３には、内ピストン６を押すときの力を受け止める為の、指掛け３ｄや、前記外ピストン４が、外筒１から抜けないようにする為の、抜け止め３ｂが設けられている。また、固定リング３には、外ピストン４が、外筒１の筒先部１ｅ側への前進を係止する為の、係止受３ｌも設けられている。
前記外ピストン４には、外筒１からの抜けを防止する抜け止め４ｂと、外ピストン４が外筒１の筒先部１ｅ側への前進を係止する為のクサビ４ａが設けられている。そのクサビ４ａは、平常時は前記固定リング３の係止受３ｌの内径に対して、拡径しているが、縮径方向に変形可能な機能も有している。
また、前記外ピストン４には、内ピストン６を押すときの力を受け止める為の、指掛け４ｄが形成されており、その指掛け４ｄの内周には凹嵌合部４ｆが設けられている。さらに指掛け４ｄの中には、中ピストン５の指掛け５ｄが完全に埋没する為の凹み４ｏが設けられている。
【００１０】
前記中ピストン５には、外筒１からの抜けを防止する抜け止め５ｂと、中ピストン５が外筒１の筒先部１ｅ側への前進を係止する為のクサビ５ａが設けられている。そのクサビ５ａは、平常時は、外ピストン４の係止受４ｌの内径に対して、拡径しているが、縮径方向に変形可能な機能も有している。また、中ピストン５には、内ピストン６を押すときの力を受け止める指掛け５ｄが設けられている。さらに、中ピストン５には、その中ピストン５が、前記外ピストン６に対し、所定の位置に到達したときに、外ピストン４のクサビ４ａが縮径方向へ変形して、外ピストン４と固定リング３の係止を解除する縮径部５ｃが設けられているが、凹みを設けても良い。
さらに、中ピストン５の指掛け５ｄの外周には、凸嵌合部５ｅが設けられており、一方、指掛け５ｄの内周には凹嵌合部５ｆが設けられている。その指掛け５ｄの中には、前記内ピストン６の指掛け６ｄが、完全に埋没する凹み５ｏが設けられている。
前記内ピストン６には、外筒１からの抜けを防止する抜け止め６ｂが設けられている。また、内ピストン６には、中ピストン５に対し、所定の位置に到達したときに、中ピストン５のクサビ５ａが縮径方向へ変形して、その中ピストン５と外ピストン４の係止を解除する縮径部６ｃが設けられているが、凹みを設けても良い。尚、内ピストン６の指掛け６ｄの外周には、凸嵌合部６ｅが設けられている。
【００１１】
次に、操作（動作）について説明する。図１は操作前の初期状態である。
前記固定リング３の係止受部３ｌには、外ピストン４のクサビ４ａが当接している。つまり、固定リング３の抜け止め３ｂと、外ピストン４の抜け止め４ｂが当接することによって、その外ピストン４が固定リング３に対して係止状態にある。また、中ピストン５のクサビ５ａが、外ピストン４の係止受部４ｌに対して当接している。つまり、外ピストン４の抜け止め４ｂと、中ピストン５の抜け止め５ｂが当接することによって、中ピストン５は、外ピストン４に対して係止状態にある。そして、更には、内ピストン６の抜け止め６ｂと中ピストン５の抜け止め５ｂが当接することによって、内ピストン６が外筒１から抜けるのを防止している。
以上の構成により、内ピストン６のみが、ガスケット２を摺動させる事が可能な状態となっている。
ここで、図２に操作の第１段階を示し説明する。前記中ピストン５の指掛け５ｄを支点にして、内ピストン６の指掛け６ｄを押圧する。この押圧操作によって、内ピストン６と中ピストン５だけに力が作用する。その結果、中ピストン５に対して内ピストン６は、意図した距離を確実に移動する。この時、前記固定リング３と外ピストン４と中ピストン５は、各々の抜け止め３ｂ、４ｂ、５ｂによって係止されている。ここで、前記外筒１とガスケット２の摩擦抵抗や、吐出する内容物の流動抵抗による反動で、外筒１から外ピストン４や中ピストン５が抜ける力が作用するが、前記の係止力によって、その脱落が防止されている。ちなみに、前記の操作によって、中ピストン５に対する内ピストン６の移動が完了したときには、中ピストン５のクサビ５ａの内側に、内ピストン６の縮径部６ｃが到達している。
【００１２】
この状態で、中ピストン５のクサビ５ａは、縮径方向への変形が可能になり、中ピストン５と外ピストン４の係止が解除される。つまり、外ピストン４に対し、中ピストン５の前進が可能になるのである。尚、この時、使用者の指は、中ピストン５の指掛５ｄと、内ピストン６の指掛６ｄにかかっているので、誤って中ピストン５を前進させてしまう恐れが生じない。また、内ピストン６の凸嵌合部６ｅと、中ピストン５の凹嵌合部５ｆとが、約５〜１０ニュートンの適度な荷重でパッチン嵌合するよう設定されているため、使用者は、第１段階の操作が完了したことを知ることができる。
更に、前記内ピストン６の指掛け６ｄは、中ピストン５の凹み５ｏに完全に埋没し、かつ、嵌合している。そのため、前記の第１段階の操作が完了した状態において、例えば、注射器を放置したり、持ち歩いたりしても、容易には内ピストン６が中ピストン５に対して、逆戻りすることがなく、第１段階の操作の完了状態を維持することができる。これによって、「本注射器は、第１段階の操作が完了済みであり、次の操作は、第２段階の操作である。」ことを、使用者に確実に知らせることができ、もって、使用者の間違いを防止することができる。
次に、操作の第２段階を図３、図４に示し説明する。前記外ピストン４の指掛け４ｄを支点にして、内ピストン６の指掛け６ｄを押圧する。この押圧操作によって、前記中ピストン５のクサビ５ａが縮径方向に変形し、外ピストン４の係止受４ｌの内周を通過する。ここで、さらに前記内ピストン６を押圧すると、前記外ピストン４の指掛け４ｄと中ピストン５の指掛け５ｄが当接して、外ピストン４に対する中ピストン５と内ピストン６の移動が完了する。
【００１３】
この時、外ピストン４のクサビ４ａの内側に、中ピストン５の縮径部５ｃが位置する。この状態で、外ピストン４のクサビ４ａは、縮径方向への変形が可能になる。つまり、外ピストン４と固定リング３の係止が解除され、その固定リング３に対して外ピストン４は、前進することが可能になるのである。また、中ピストン５の凸嵌合部５ｅと、外ピストン４の凹嵌合部４ｆとが、約５〜１０ニュートンの適度な荷重でパッチン嵌合するよう設定されているため、使用者は、第２段階の操作の完了を知ることができる。
更に、前記中ピストン５の指掛け５ｄは、外ピストン４の凹み４ｏに完全に埋没し、かつ、嵌合している。そのため、前記第２段階の操作が完了した状態において、例えば、注射器を放置したり、持ち歩いたりしても、容易には中ピストン５が外ピストン４に対して、逆戻りすることがなく、第２段階の操作の完了状態を維持することができる。これによって、「本注射器は、第２段階の操作が完了済みであり、次の操作は、第３段階の操作３である。」ことを、使用者に確実に知らせることができ、もって、使用者の間違いを防止することができる。
【００１４】
次に、操作の第３段階を図５に示し説明する。前記固定リング３の指掛け３ｄを支点にして、内ピストン６の指掛け６ｄを押圧する。この押圧操作によって、前記外ピストン４のクサビ４ａが縮径方向に変形し、固定リング３の係止受３ｌの内周を通過する。ここで、さらに、内ピストン６を押圧すると、前記固定リング３と、外ピストン４の指掛け４ｄが当接して、固定リング３に対する外ピストン４の移動が完了する。
以上の第１段階の操作から第３段階の操作で、外筒１内のガスケット２を、段階的に摺動させ、定量吐出を可能としている。
尚、前記第１段階の操作の時に、中ピストン５の指掛け５ｄの代わりに、固定リング３の指掛け３ｄを支点に、前記内ピストン６の指掛け６ｄを押すなど、操作時の支点を変えることもできる。操作時の支点を変えることによって、１回の操作で得られる吐出量を変化させることができる。即ち、本実施例においては、４通りの内容物の定量的な吐出を実現することができる。
【００１５】
次に、前記第３段階の終了後における、各ピストンの復帰操作について、図６を基に説明する。図６は、前記第３段階終了後に、外ピストン４、並びに、中ピストン５、内ピストン６を、元の位置に戻そうとして、外筒１の開口部の方向に引き抜こうとしている状態である。しかし、その引き抜き動作を行っても、前記外ピストン４は、固定リング３の抜け止め３ｂの内側で、クサビ４ａが拡径した状態を維持している。これによって、外ピストン４は、操作前の位置に戻ることができないようになっている。同様に、前記第２段階の操作の終了後、中ピストン５は、外ピストン４の抜け止め４ｂの内側で、クサビ５ａが拡張した状態を維持している。これによって、中ピストン５も、操作前の位置に戻ることができなくなっている。即ち、何れのピストンも、各々のクサビによって移動が阻止されているため、本注射器を再利用（再使用）しようとしても、その再利用が不可能な状態になっている。つまり、薬剤の誤使用や衛生面が重要視される注射器などにあっては、再利用することができない吐出容器が最も好ましいのである。  
【００１６】
次に、本発明を実施する為の第２実施例を図７〜図１１に基づいて説明する。
外ピストン４のクサビ４ａの内周側には、突起４ｇが設けられている。尚、前記クサビ４ａは、平常時は固定リング３ｌの係止受を通過できる外径であるものの、クサビ４ａの内側に、中ピストン５の側面が当接する時には拡径方向に変形が可能な形状になっている。また、中ピストン５のクサビ５ａの内周側には、突起５ｇが設けられている。前記クサビ４ａと同様に、クサビ５ａは、平常時は外ピストン４の係止受４ｌを通過できる外径であるものの、クサビ５ａの内側に、中ピストン６の側面が当接する時には拡径方向に変形が可能な形状になっている。これら、突起４g及び、突起５gの形状は、本実施例に限定されることなく、例えば、半球や円錐、角錐の何れの形状であっても良い。
さらに、中ピストン５の縮径部５ｃであって、外筒１の針先側の面には、適宜の角度を有する傾斜５ｎが設けられている。また、内ピストン６の縮径部６ｃであって、外筒１の針先側の面にも、適度な角度を有する傾斜６ｎが設けられている。
その内ピストン６の指掛け６ｄ側には、フランジ６ｍが設けられており、その反対側には、螺子６ｉが設けられている。一方、ガスケット２には、前記螺子６ｉと螺合する螺子２ｉが設けられている。尚、前記内ピストン６とガスケット２は、螺合に結合しているが、これに限定されることはなく、圧入リブを用いた嵌合などであっても良い。
参照符号１５は、外筒１の先端部に取り付けられた注射針であるが、その注射針１５は螺合によって結合されている。
【００１７】
次に、操作（動作）について、説明する。図７は、注射器が内容物を吸引する前の状態である。この状態では、外ピストン４の突起４ｇが、中ピストン５に設けた縮径部５ｃに、嵌合している。同様に、中ピストン５の突起５ｇが、内ピストン６に設けた縮径部６ｃに、嵌合している。また、内ピストン６に設けた螺子６ｉとガスケット２に設けた螺子２ｉが螺合することによって結合されているため、上記４部品（外ピストン４と中ピストン５、内ピストン６、ガスケット２）は、実質的に一体になっている。
この状態で、片方の手で、前記外筒１、又は、固定リング３の側面を保持し、もう片方の手で、内ピストン６のフランジ６ｍを摘み、その内ピストン６を外筒１の開口部方向に引っ張る。この時、上記４部品（外ピストン４と中ピストン５、内ピストン６、ガスケット２）が、同時に外筒１の開口部の方向に引っ張られる。この操作によって、固定リング３の抜け止め３ｂと外ピストン４の抜け止め４ｂが当接し、また、係合する（図８参照）。その結果、ガスケット２が、一定量摺動する。その結果、一定量の内容物が吸引されることになる。
次いで、更に強い力で、前記内ピストン６のフランジ６ｍを引っ張る。この引っ張り操作の過程で、前記中ピストン５の傾斜５ｎによって、クサビ４ａが拡径され、外ピストン４と中ピストン５の嵌合が解除される。尚、外ピストン４と中ピストン５の嵌合が解除された後は、内ピストン６を引く力は、その内ピストン６を図７に示す状態から図８に示す状態に移動させたときと同等の力に戻る。
【００１８】
前記外ピストン４と中ピストン５の嵌合が解除されると同時に、前記中ピストン５の突起５ｇに対しても、内ピストン６の傾斜６ｎによって、中ピストン５のクサビ５ａを拡径して、中ピストン５と内ピストン６の嵌合が解除されようとする。しかし、クサビ５ａは、外周にある外ピストン４によって、拡径を阻まれている。そのため、前記中ピストン５と内ピストン６の嵌合が解除されることはなく、中ピストン５と内ピストン６及び、ガスケット２が同時に移動することになる（図９参照）。そして、遂には、前記外ピストン４の抜け止め４ｂと中ピストン５の抜け止め５ｂが、当接し、係合する（図１０参照）。ここで、第２段階の定量吸引が完了する。尚、この状態では、中ピストン５のクサビ５ａが、外ピストン４の係止受４ｌの外側に露出しているので、前記中ピストン５と内ピストン６の嵌合の解除が可能になっている。
ここで、更に強い力で、前記フランジ６ｍを引っ張ると、内ピストン６の傾斜５ｎによって、中ピストン５のクサビ５ａが拡径され、外ピストン４と中ピストン５の嵌合が解除される。尚、前記外ピストン４と中ピストン５の嵌合が解除された後は、内ピストン６を引く力は、内ピストン６を図７に示す状態から図８に示す状態に移動させたときと同等の力に戻る。
前記の引っ張り操作を継続すると、やがて、前記中ピストン５の抜け止め５ｂと内ピストン６の抜け止め６ｂが当接し、係合する。この係合作用によって、前記ガスケット２が、外筒１に対して、３段階目の摺動が行われ、その結果、第３段階目の定量の吸引が行われる。  
【００１９】
これら第１段階から第３段階の摺動作用により、複数の種類の内容物を定量吸引して、混合する注射器を容易に実現できる。また、吸引した内容物を、吐出する場合も、第１実施例で説明した様に、段階的な摺動により、段階的な一定量の吐出が可能である。
尚、前記固定リング３は、外筒１のフランジ１ｍに対し、着脱自在である為、注射器の使用後、内容物に直接触れた外筒１とガスケット２及び、針先１８のみを廃棄することができる。そして、内容物に直接触れていない固定リング３や外ピストン４、中ピストン５、内ピストン６は、再利用することも可能である。
また、前記外筒１のフランジ１ｍの外径に応じた固定リング３を複数用意することで、同じ外ピストン４や中ピストン５及び、内ピストン６を、径の違う外筒１で使用することも可能である。そして、さらには、長さの違う外ピストン４と中ピストン５を組み合わせる事で、同一寸法の外筒１を用いても、操作ごとの吸引量及び、吐出量を変更させることもできる。
【００２０】
次に、本発明を実施する為の更に別の形態を、図１２〜図１４に示し説明する。本発明における第３実施例である。
前記第１実施例の注射器において、外ピストン４には、クサビ４ａの代わりに、横孔４ｐが設けられている。その横孔４ｐには、球体７が装填されている。その球体７は、横孔４ｐの内部を自由に移動できるが、外ピストン４の外周側へは、脱落しないように、横孔４ｐの外周側の内径が縮径している。
一方、中ピストン５には、クサビ５ａの代わりに、横孔５ｐが設けられている。その横孔５ｐには、球体７が装填されている。その球体７は、横孔５ｐの内部を自由に移動できるが、中ピストン５の外周側へは、脱落しないように、横孔５ｐの外周側の内径が、縮径している。また、その中ピストン５の側面には、球体７が出入り可能な縮径部５ｃが設けられているが、その縮径部５ｃは窪みであっても良い。
さらに、前記内ピストン６の側面には、球体７が出入り可能な縮径部６ｃが設けられているが、その縮径部６ｃは窪みであっても良い。
【００２１】
次に、操作（動作）について説明する。図１３は、初期状態を示す図であり、フランジ部１ｍに着脱自在に嵌合した固定リング３の抜け止め３ｂと、外ピストン４の抜け止め４ｂが当接し、係合している。同様に、外ピストン４の抜け止め４ｂと、中ピストン５の抜け止め５ｂが当接し、係合している。また、外ピストン４の横孔４ｐ内に封じ込めた、移動可能な球体７の一部が、外ピストン４の外周から突出し、固定リング３の係止受け３ｌに当接し、係合している。さらに、前記外ピストン４と同様に、中ピストン５の横孔５ｐ内に封じ込めた移動可能な球体７の一部が、中ピストン５の外周から突出し、外ピストン４の係止受け４ｌに当接し、係合している。これらの各係合によって、固定リング３に対し、外ピストン４と中ピストン５は、係止された状態になっており、内ピストン６のみが、摺動可能な状態になっている。
この状態で、前記内ピストン６を押圧すると、図１４に示す状態になる。即ち、内ピストン６を押圧すると、中ピストン５の横孔５Ｐの内周方向に、内ピストン６の縮径部６ｃが到達する。この縮径部６ｃの到達によって、横孔５ｐに封じ込めた球体７が、内周方向の内ピストン６の縮径部６ｃに対して、移動可能がとなり、その結果、前記中ピストン５と外ピストン４の係止が解除される。即ち、第２段階への操作の準備がなされる。同様に、中ピストン５の縮径部５ｃが、外ピストン４の横孔４ｐの内周に到達すると、横孔４ｐに封じ込めた球体７が、内周方向の中ピストン５の縮径部５ｃに対して、移動可能となり、その結果、中ピストン４と固定リング３の係止が解除され、第３段階への操作の準備がなされる。
この球体７を用いた係止・解除機構は、内容物の吐出時の段階的なピストンの摺動のみならず、第２実施例で説明した、内容物の吸引時の段階的なピストンの摺動にも適用が可能である。
【００２２】
次に、本発明を実施する為の第４実施例を図１５に示し説明する。前記第１実施例の吐出容器において、外ピストン４の抜け止め４ｂや中ピストン５の抜け止め５ｂ、内ピストン６の抜け止め６ｂの代わりに、それぞれ、Ｃリングが嵌る全周溝４ｈ、５ｈ，６ｈが設けられている。具体的に説明すると、外ピストン４の溝４ｈには、外Ｃリング８が嵌め込まれており、その外Ｃリング８が固定リング３の抜け止め３ｂに当接し、係合している。これによって、外ピストン４の固定リング３に対する脱落が防止されている。また、前記中ピストン５の溝５ｈには、中Ｃリング９が嵌め込まれており、その中Ｃリング９が外ピストン４の端面に当接し、係合している。これによって、中ピストン５の外ピストン４に対する脱落が防止されている。さらに、前記内ピストン６の溝６ｈには内Ｃリング１０が嵌め込まれており、その内Ｃリング１０が中ピストン５の端面に当接し、係合している。これによって、内ピストン６が中ピストン５に対する脱落が防止されている。尚、前記各Ｃリングの嵌め方としては、すきま嵌めやしまり嵌め、中間嵌めのなどの手段があり、適宜選択が可能である。また、前記Ｃリングの代わりに、Ｅリングやスナップリング等を用いても良い。さらに、前記全周溝の代わりに、横孔を形成し、その横孔に割りピンやスナップピンなどを挿着しても良い。
【００２３】
次に、本発明を実施する為の第５実施例を図１６〜図１８に示し説明する。本実施例においては、外筒１の先端１ｅには、キャップ１２が着脱自在に挿着されている。また、外筒１の内壁の中間部には、膨出状態で連絡通路１ｋが設けられている。さらに、外筒１の内側には、先端ガスケット１１とガスケット２が適宜の間隔を形成して配置されており、密封された前室１３と後室１４を形成している。それら、前室１３と後室１４には、２種類の薬剤が混合されることなく収容されている。また、前記外筒１の後端には、固定リング３が装着されていると共に、その内側には外ピストン４及び内ピストン５が摺動可能に配置されている。ちなみに、前室１３には、空気を含む粉末１６が収容されており、後室１４には液体１７が収容されている。
前記固定リング３には、抜け止め３ｂが形成されていると共に、外ピストン４にも抜け止め４ｂが形成されている。そして、それら、外ピストン４の抜け止め４ｂと内ピストン６の抜け止め６ｂによって、前記の外ピストン４と内ピストン６は、外筒１に装着した固定リング３からの脱落が防止されている。
図１７は、初期状態を示す図であるが、この状態から外ピストン４の指掛け４ｄを支点に、内ピストン６の指掛け６ｄを押圧すると、内ピストン６に当接したガスケット２が外筒１内を前進し、液体１７の入った前室１４の圧力が上がり、その前室１４の圧力の上昇に伴って先端ガスケット１１が前進する。このとき、２つのガスケット（ガスケット２と先端ガスケット１１）の摺動抵抗に打ち勝つ推力と、空気を含む粉末１６の入った前部屋１４を圧縮する推力の合計が、反作用となる。この反作用によって、外ピストン４には外筒１から引き抜く方向に力が作用する。しかし、前記外ピストン４は、抜け止め４ｂと抜け止め３ｂによって係止されているので、内ピストン６によって作用した推力は、無駄なくガスケット２及び先端ガスケット１１の前進と、前室１４の圧縮に伝達される。
また、前記内ピストン６の指掛け６ｄが、外ピストン４の凹み４ｏに当接するので、力の加減を誤って、内ピストン６を押し過ぎる心配がなく、もって、使用者の負担を軽減することができる。
次いで、固定リング３の指掛け３ｄを支点に、内ピストン６の指掛け６ｄを押圧すると、前記後室１４の液体１７が外筒１の連絡通路１ｋを通って、全て前室１３に流入する（図１８参照）。ここで、さらに、外ピストン４を押圧すると、空気を含む粉末１６と液体１７の混合物が針１４から吐出し、混合された内容物の吐出が完了する（図１９参照）。
【符号の説明】
【００２４】
１      外筒
１ｅ    凸嵌合部
１ｍ    フランジ
１ｋ    連絡通路
２      ガスケット
２ｉ    螺子
３      固定リング
３ｂ    抜け止め
３ｄ    指掛け
３ｌ    係止受
４      外ピストン
４ａ    クサビ
４ｂ    抜け止め
４ｄ    指掛け
４ｆ    凹嵌合部
４ｇ    突起
４ｈ    溝
４ｌ    係止受
４ｏ    凹み
４ｐ    横孔
５      中ピストン
５ａ    クサビ
５ｂ    抜け止め
５ｃ    縮径部
５ｄ    指掛け
５ｅ    凸嵌合部
５ｆ    凹嵌合部
５ｇ    突起
５ｈ    溝
５ｌ    係止受
５ｎ    斜面
５ｏ    凹み
５ｐ    横孔
６      内ピストン
６ｂ    抜け止め
６ｃ    縮径部
６ｄ    指掛け
６ｅ    凸嵌合部
６ｈ    溝
６ｉ    螺子
６ｍ    フランジ
６ｎ    斜面
７      ボール
８      外Ｃリング
９      中Ｃリング
１０    内Ｃリング
１２    キャップ
１３    前室
１４    後室
１５    針
１６    空気を含む粉末
１７    液体
【図１】
0005974535.tif 000002
【図２】
0005974535.tif 000003
【図３】
0005974535.tif 000004
【図４】
0005974535.tif 000005
【図５】
0005974535.tif 000006
【図６】
0005974535.tif 000007
【図７】
0005974535.tif 000008
【図８】
0005974535.tif 000009
【図９】
0005974535.tif 000010
【図１０】
0005974535.tif 000011
【図１１】
0005974535.tif 000012
【図１２】
0005974535.tif 000013
【図１３】
0005974535.tif 000014
【図１４】
0005974535.tif 000015
【図１５】
0005974535.tif 000016
【図１６】
0005974535.tif 000017
【図１７】
0005974535.tif 000018
【図１８】
0005974535.tif 000019
【図１９】
0005974535.tif 000020